(57)【要約】【課題】傷つき難く、かつ、通信性能の低下を抑制した高輝度の金属調加飾を形成することができる携帯機及び加飾フィルムの提供をする。【解決手段】携帯機１は、各操作ボタン５〜７から操作信号を入力すると、前記各操作ボタンに対応した情報を電波にして放射するようになっている。そして、ケース２内に収納された無線通信回路から放射された電波は、自動車に設けられた受信機に受信される。この携帯機１のケース２を、インジウム蒸着による金属調加飾層を形成した加飾フィルムを表面に有するカバー３，４により形成する。これにより、携帯機１は、車両間との通信性能の低下は抑制されて好適な通信をすることができるとともに、加飾フィルムで外装を保護し、高輝度の金属光沢によって高級感を表現することができる。【選択図】図１
2007285093.tif 000002
【特許請求の範囲】
【請求項１】
内部に無線通信回路を備える携帯機のケースに加飾フィルムを貼着する携帯機において、
前記加飾フィルムは、
透明樹脂フィルムと、
前記透明樹脂フィルムの裏面に形成した通信性能の低下を抑制した高輝度の金属調加飾層と、
を備えたことを特徴とする携帯機。
【請求項２】
請求項１に記載の携帯機において、
前記金属調加飾層は、
インジウムまたはすずにより形成される金属調加飾層であることを特徴とする携帯機。
【請求項３】
請求項２に記載の携帯機において、
前記金属調加飾層は、
蒸着により形成された金属調加飾層であることを特徴とする携帯機。
【請求項４】
請求項１〜３のいずれか１つに記載の携帯機において、
前記透明樹脂フィルムの裏面に形成した金属調加飾層に不透明層を備えることを特徴とする携帯機。
【請求項５】
請求項１〜４のいずれか１つに記載の携帯機において、
前記透明樹脂フィルムの裏面と金属調加飾層との間に印刷層を形成したことを特徴とする携帯機。
【請求項６】
透明樹脂フィルムと、
前記透明樹脂フィルムの裏面に形成したインジウム蒸着により形成された通信性能の低下を抑制した高輝度の金属調加飾層と、
前記金属調加飾層の裏面に形成した不透明層と、
前記透明樹脂フィルムと前記金属調加飾層との間に形成した印刷層と
とからなる加飾フィルム。
【発明の詳細な説明】
【技術分野】
【０００１】
本発明は、携帯機及び加飾フィルムに関する。
【背景技術】
【０００２】
住宅等の建物ドアや車両ドアなどの施錠・解錠操作に用いる鍵としては、ドアに設けられた鍵穴に機械的なキーを挿入して回動することにより行う鍵の他に、鍵に無線通信回路を内蔵し、その鍵と建物ドアや車両ドアが無線通信により施錠・解錠用の情報を交換して、ドアの施錠・解錠が操作できるワイヤレスキー（携帯機）が普及している。鍵穴に挿入して回動する形式の鍵は、鍵穴に差し込む部分が必須であり、その意匠性に制約があったが、携帯機は鍵穴に差し込む部分が不要であるため、その意匠性の自由度が高い。そのため、携帯機は、従来から鍵に要求されている耐久性に加えて、その意匠性の高い高級感が求められている。特に、貴金属製品で見受けられるように、高輝度の金属光沢のあるものは高級感を感じさせる。
【０００３】
そこで、携帯機のケースに高輝度の金属光沢（メタリック）のある塗料で塗装し、携帯機に高輝度の金属光沢を与え、それにより高級感を表現することが考えられている。ところで、高輝度の金属光沢を放つ塗料はその塗料の成分に金属、例えばアルミニウムを含ませ、その金属（アルミニウム）にて、携帯機のケースに金属光沢を与えている。そのため、携帯機をそのような塗料で塗装すると、携帯機内部の無線通信回路から発信される電波が、携帯機を塗装した塗料に含まれる金属（アルミニウム）によって遮蔽され、携帯機とドア間の通信性能が著しく低下する問題があった。
【０００４】
そのため、従来は、携帯機の全体に高輝度の金属光沢のある塗料を使用することは難しく、通信性能に影響を与えない量の金属（アルミニウム）を配合した塗料を使用していた。その結果、金属の量が少なくなることから、携帯機は低輝度の金属光沢を表現することしかできなかった。また、高輝度の金属光沢のある塗料を使用する場合もあったが、それも無線通信に影響が無いと確認された携帯機の限られた一部分に使用できる程度であった。
【０００５】
また、ケースに塗料を塗って携帯機のケースに金属光沢を与えた場合、直接、その塗装部分に指等が触れるため、長時間使用すると、塗装部分が損傷したり磨耗したりして携帯機の意匠性を低下させていた。そこで、塗装よりも塗料の層を薄くできる印刷を用いて、携帯機のケースを、透光性を有する樹脂フィルムの裏側に金属成分の含まれた印刷層を施した加飾フィルムを用い、加飾フィルムの印刷層側がケース本体側に配置されるように形成することが提案されている（例えば、特許文献１参照）。
【特許文献１】特開２００４−１５３５２６号公報
【発明の開示】
【発明が解決しようとする課題】
【０００６】
ところが、上記特許文献においては、加飾フィルムの印刷の塗料に、高輝度金属調の表現力が高いアルミニウムを含む塗料を使用している。したがって、アルミニウムは導電率が高いことから、携帯機の通信性能の低下を招いていた。
【０００７】
本発明は、傷つき難く、かつ、通信性能の低下を抑制した高輝度の金属調加飾を形成することができる携帯機及び加飾フィルムの提供をすることにある。
【課題を解決するための手段】
【０００８】
請求項１に記載の内部に無線通信回路を備える携帯機のケースに加飾フィルムを貼着する携帯機は、前記加飾フィルムは、透明樹脂フィルムと、前記透明樹脂フィルムの裏面に形成した通信性能の低下を抑制した高輝度の金属調加飾層とを備えたことを要旨とする。
【０００９】
請求項２に記載の携帯機は、前記金属調加飾層は、インジウムまたはすずにより形成される金属調加飾層であることを要旨とする。
請求項３に記載の携帯機は、前記金属調加飾層は、蒸着により形成された金属調加飾層であることを要旨とする。
【００１０】
請求項４に記載の携帯機は、前記透明樹脂フィルムの裏面に形成した金属調加飾層に不透明層を備えることを要旨とする。
請求項５に記載の携帯機は、前記透明樹脂フィルムの裏面と金属調加飾層との間に印刷層を形成したことを要旨とする。
【００１１】
請求項６の加飾フィルムは、透明樹脂フィルムと、前記透明樹脂フィルムの裏面に形成したインジウム蒸着により形成された通信性能の低下を抑制した高輝度金属調加飾層と、前記金属調加飾層の裏面に形成した不透明層と、前記透明樹脂フィルムと前記金属調加飾層との間に形成した印刷層ととからなることを要旨とする。
【発明の効果】
【００１２】
請求項１に記載の発明によれば、携帯機の加飾フィルムは透明樹脂フィルムの裏面に通信性能の低下を抑制した高輝度の金属調加飾層を備えている。したがって、携帯機が備える加飾フィルムは通信性能の低下を抑制した高輝度の金属調加飾層を備える。それにより、携帯機のケースの内部に備えられた無線通信回路は、携帯機のケースによって通信性能が低下すること無く、好適な無線通信をすることができる。その結果、高輝度の金属調加飾による金属光沢によって高級感を与えた携帯機を提供することができる。さらに、加飾フィルムの透明樹脂フィルムの表面により、携帯機のケースを保護することもできる。
【００１３】
請求項２に記載の発明によれば、金属調加飾層はインジウムまたはすずにより形成される。インジウムやすずは高輝度の金属調加飾を表現できるとともに、金属調加飾層に通常用いられるアルミニウムに比べて遥かに電波遮蔽率が小さいので、無線通信回路の通信性能の低下を抑制することができる。その結果、高輝度の金属調加飾でありながら通信性能の低下を抑制した携帯機を提供することができる。
【００１４】
請求項３に記載の発明によれば、携帯機の加飾フィルムが備える金属調加飾層は蒸着により形成される。蒸着による形成によれば、金属調加飾層の厚みの管理が容易かつ精度よく行える。その結果、通信性能や金属調加飾の都合に合わせた好適な厚みの金属調加飾層を有する携帯機を提供することができる。
【００１５】
請求項４に記載の発明によれば、金属調加飾層は不透明層を備える。前記金属調加飾層は、通信性能の低下を抑制するために薄く、金属調加飾層の金属光沢の見栄えが金属調加飾層の裏面にあるものによって左右される。そこで、不透明層を備えることにより金属調加飾層の金属光沢がはっきり見えるようにした。その結果、金属調加飾層は一定の高輝度感を確保することができるとともに、金属調加飾層を薄くすることができ、通信性能の低下を抑制することができる。
【００１６】
請求項５に記載の発明によれば、絵、模様、または文字等のデザインが表された印刷層は透明樹脂フィルムの表面から見ることができる。その結果、携帯機の表面から、目的に応じて印刷された所定の絵、模様、または文字等を見ることができて、携帯機の使い勝手とともにデザイン性を高めることができる。
【００１７】
請求項６に記載の発明によれば、加飾フィルムは、透明樹脂フィルムと、透明樹脂フィルムの裏面に形成したインジウム蒸着により形成された通信性能の低下を抑制した高輝度の金属調加飾層と、金属調加飾層の裏面に形成した不透明層と、透明樹脂フィルムと金属調加飾層との間に印刷層とを順に備える。したがって、前記加飾フィルムを、携帯機のケースの外面に貼着することにより、携帯機に通信性能の低下を抑制した高輝度金属調加飾ができる。その結果、この加飾フィルムによって通信性能の低下を抑制した高輝度金属調加飾をした携帯機を提供することができるとともに、加飾フィルムの透明樹脂フィルムの表面により携帯機のケースを保護することができる。
【発明を実施するための最良の形態】
【００１８】
以下、本発明を具体化した携帯機の一実施形態を、図面に基づいて説明する。
図１は本発明を具体化した携帯機の全体斜視図である。
図１において、携帯機１は、直接に鍵をささないで、自動車のドアの施錠・解錠やトランクの解錠を行うための自動車用のトランスミッタである。
【００１９】
携帯機１のケース２は、人の手のひらに握れる程度の大きさの四角箱状であり、下部カバー３と上部カバー４とからなり、両カバー３，４が互いに連結固着されて形成されている。ケース２の上面には、上部カバー４にそれぞれ形成した貫通穴４ａから露出した操作ボタン５，６，７が設けられている。操作ボタン５，６，７は、ケース２内に設けられた図示しない無線通信回路にそれぞれ電気的に接続されている。
【００２０】
操作ボタン５，６，７を押下すると各操作ボタン５〜７に対応した操作信号が、無線通信回路に出力される。無線通信回路は、各操作ボタン５〜７から操作信号を入力すると、前記各操作ボタンに対応した情報を電波にして放射するようになっている。ケース２内に収納された無線通信回路から放射された電波は、自動車に設けられた受信機に受信される。詳述すると、携帯機１の無線通信回路は、自動車に備えられた図示しない通信機器からのＬＦ帯の電波を受信することができ、さらに操作ボタン５〜７に対応する情報をＲＦ帯の電波により前記通信機器に対して無線伝送することができるように構成されている。ここで、操作ボタン５に対応する情報は、ドアを施錠させるための情報であり、操作ボタン６に対応する情報は、ドアを解錠させるための情報であり、操作ボタン７に対応する情報は、トランクを解錠させるための情報である。なお、無線伝送に用いる無線通信回路のアンテナもケース２の内部に配置されている。
【００２１】
また、ケース２の一側面には、ドアの施錠・解錠及びトランクの解錠を行う物理的な鍵９が取り出し可能に装着されている。
ケース２を構成する下部カバー３と上部カバー４は、図２及び図３に示すように、合成樹脂製のベース２１と、そのベース２１の表面に接着した加飾フィルム２２とからなる。加飾フィルム２２は、フィルムインモールド成形により合成樹脂製のベース２１に対して接着されている。
【００２２】
加飾フィルム２２は、高輝度金属調加飾をされた樹脂フィルムであって、ポリカーボネート製の透明樹脂フィルムとしての透明保護フィルム３１を備えなる。さらに、加飾フィルム２２は、図３に示すように、前記透明保護フィルム３１の接着側の面（裏面）には、所定のイメージを印刷した印刷層３２が形成されるとともに、同印刷層３２とともに透明保護フィルム３１の接着側の面（裏面）を全面被覆する金属調加飾層３３が形成されている。金属調加飾層３３は、インジウム蒸着膜で形成されている。インジウム蒸着膜からなる金属調加飾層３３は、インジウムの特性上、通信性能の低下を抑制するとともに高輝度の金属光沢を出す。金属調加飾層３３の接着側の面には、全面に亘って透光を防止するための黒塗りの不透明層３４が形成され、不透明層３４がベース２１の表面に接着されてい
る。
【００２３】
このように、下部カバー３と上部カバー４のベース２１には、加飾フィルム２２を接着した。そして、加飾フィルム２２の透明保護フィルム３１の接着側の面に、インジウム蒸着膜からなる金属調加飾層３３を形成し、その金属調加飾層３３の接着面に不透明層３４を形成した。したがって、インジウム蒸着膜からなる金属調加飾層３３によって、ケース２の表面には高輝度の金属光沢が得られ、携帯機１に高級感を表現することができる。しかも、金属調加飾層３３がインジウムの蒸着膜からなるため、アルミニウムに比べて遥かに誘電率が高く電波の遮蔽は遥かに小さいので、携帯機１と自動車の通信機器との間の通信性能の低下を抑制することができる。
【００２４】
次に、加飾フィルム２２の製造方法について説明する。
図４の（ａ）〜（ｄ）は、加飾フィルム２２の製造方法を順番に示した説明図である。
まず、図４（ａ）に示すポリカーボネート製の透明保護フィルム３１の一側面に所定の絵、模様、または文字等のデザインを表す印刷層３２を、図４（ｂ）に示すように印刷する。ここで、透明保護フィルム３１は印刷層３２を透視できるように透明な合成樹脂であることが望ましく、印刷層３２の印刷に用いる塗料は通信性能を低下させない、例えば金属成分を含まない塗料が望ましい。
【００２５】
次に、図４（ｃ）に示すように、透明保護フィルム３１の印刷層３２を印刷した面に、金属調加飾層３３を重ねる。金属調加飾層３３は、インジウムを、本実施形態では、通信性能に影響を与えない厚みである１０μｍ以下の厚さで蒸着することによって形成する。インジウムの蒸着は、その蒸着膜の厚みの管理が行い易いため、任意の厚みの形成が容易であり、さらに厚みの精度もよい。
【００２６】
次に、図４（ｄ）に示すように、金属調加飾層３３の面（裏面）に不透明層３４を形成する。不透明層３４は、通信性能に影響を与えない塗料であって、その塗料を金属調加飾層３３に塗布することによって形成する。
【００２７】
つまり、金属調加飾層３３（インジウム蒸着膜）の膜厚が薄いと、金属調加飾層３３の金属光沢の見栄えは、金属調加飾層の裏面にあるものによって左右され、金属調加飾層３３の輝度感を悪くする。そこで、金属調加飾層３３の面（裏面）に不透明層３４を形成することによって、金属調加飾層３３の金属光沢がはっきり見えるようにして、一定の高輝度感を確保できるようにしている。
【００２８】
次に、上記のように製造した加飾フィルム２２を用いた下部カバー３及び上部カバー４の製造方法について説明する。なお、説明の便宜上、下部カバー３の製造方法について説明し、上部カバー４についてはその製造方法が同じなので省略する。
【００２９】
図５の（ａ）〜（ｅ）は、フィルムインモールド成形による下部カバー３の製造方法を順番に示した説明図である。
まず、図５（ａ）に示す加飾フィルム２２を、図５（ｂ）に示すように、型成形機の下押型５１と上押型５２の間に配置する。詳述すると、加飾フィルム２２の表面２２ａが下押型５１側に、裏面２２ｂが上押型５２に向くように、加飾フィルム２２を下押型５１に配置する。
【００３０】
そして、上押型５２を下押型５１に下動させ、型締めして、図５（ｃ）に示すように、上押型５２の成形凸部５２ａと下押型５１の成形凹部５１ａとで、加飾フィルム２２を下部カバー３の表面形状になるように成形する。
【００３１】
下部カバー３の表面形状に成形された加飾フィルム２２は出来上がると、フィルムインモールド成形機の下型５３の成形凹部５３ａと上型５４の成形凸部５４ａとで形成されるキャビティ５６内において下部カバー３を成形する。
【００３２】
まず、下型５３の成形凹部５３ａに、下部カバー３の外形形状に成形された加飾フィルム２２を配置する。次に、図５（ｄ）に示すように、上型５４を下動させて、下型５３と型締めをする。続いて、上型５４の合成樹脂注入口（ゲート）５５からキャビティ５６内に下部カバー３のベース２１となる合成樹脂を注入する。注入された合成樹脂は下型５３に保持された加飾フィルム２２と、上型５４により確保されたキャビティ５６に充填される。
【００３３】
これにより、図５（ｅ）に示すように、ベース２１と加飾フィルム２２とからなる下部カバー３が、フィルムインモールド成形によって成形される。
上記実施形態によれば以下のような効果を得ることができる。
【００３４】
（１）本実施形態によれば、携帯機１のケース２は、インジウム蒸着による金属調加飾層３３を備える加飾フィルム２２を有するカバー３，４により形成した。したがって、携帯機１の外装は、通信性能の低下を抑制した高輝度金属調加飾を施すことができる。その結果、携帯機１は、車両間との通信性能の低下は抑制されて好適な通信をすることができるとともに、高輝度の金属光沢のある外装によって高級感を表現することができる。
【００３５】
（２）上記実施形態によれば、加飾フィルム２２の金属調加飾層３３は蒸着により１０μｍ以下の厚みに形成された。蒸着による形成によれば、金属調加飾層３３の膜厚管理が容易にかつ精度良く行える。したがって、通信性能や加飾の都合に合わせた好適な厚みの金属調加飾層３３を有する携帯機１を提供することができる。
【００３６】
（３）上記実施形態によれば、携帯機１が備える加飾フィルム２２の金属調加飾層３３はインジウム蒸着により形成した。つまり、アルミニウムに比べて遥かに誘電率の高いインジウムを用いたことにより、電波遮蔽率を小さくすることができ、通信性能の低下を抑制した高輝度金属調加飾をケース２の全面に施すことができ、高級感のある携帯機１を提供することができる。
【００３７】
（４）上記実施形態によれば、携帯機１が備える加飾フィルム２２は金属調加飾層３３に不透明層３４を重ねた。これによって、金属調加飾層３３の金属光沢の見栄えが金属調加飾層３３の裏面にあるものによって左右されることを防止して、金属調加飾層３３の一定の高輝度感を確保する。その結果、薄くて通信性能の低下を抑止した高輝度の金属調加飾をした携帯機１を提供することができる。
【００３８】
（５）上記実施形態によれば、携帯機１が備える加飾フィルム２２は所定の絵、模様、文字等のデザインを表す印刷層３２を透明保護フィルム３１の一側面に印刷して形成した。これによって、携帯機１は、使い勝手とともにデザイン性を高めることができる。
【００３９】
（６）上記実施形態によれば、携帯機１の両カバー３，４に貼着された加飾フィルム２２はポリカーボネート製の透明保護フィルム３１を備えた。したがって、携帯機１の外面は透明度の高さとともに、耐久性を備えた。その結果、加飾フィルム２２の印刷層３２と、金属調加飾層３３とははっきり視認することができ、かつ、外装が傷つきにくく耐久性の高い携帯機１を提供することができる。
【００４０】
（７）上記実施形態によれば、携帯機１の両カバー３，４はフィルムインモールド成形により、加飾フィルム２２の裏面２２ｂとベース２１とが接着されるように成形した。そ
の結果、加飾フィルム２２とベース２１とが剥離することがなく、携帯機１の外装の耐久性を高めることができる。また、加飾フィルム２２の印刷層３２、金属調加飾層３３、不透明層３４に指等が直接接することが無いので、印刷層３２、金属調加飾層３３、不透明層３４の損傷や磨耗等がなく、携帯機１のデザインの耐久性を高めることができた。
【００４１】
なお、この発明は前述の実施形態に限定されるものではなく、以下のように具体化してもよい。
・上記実施形態では、携帯機１を車両用の鍵として用いた。しかし、これに限らず、例えば建物のドアのワイヤレスキーの機能を備えた携帯機として実施してもよい。さらには、無線通信を行う携帯機であれば、例えば家庭用電化製品のリモートコントローラに実施してもよい。
・上記実施形態では、携帯機１は車両の通信機器と無線通信を行うための無線通信回路を備えた。しかし、これに限らず、携帯機１を応答機として、例えばＩＣチップを内蔵して実施してもよい。そうすれば、携帯機１は、携帯機１と通信する通信機器の無線通信電波を受信して応答するように構成できる。この場合、携帯機１をカード型、例えばプラスチックカードや定期券の形態にして実施してもよい。それにより、高輝度の金属光沢を持つ高級感のある応答機を提供することができる。
・上記実施形態では、携帯機１は人の手のひらに握れる程度の大きさの四角箱状であった。しかし、これに限らず、携帯機１の大きさや形態に制限はない。例えば携帯機の大きさを手帳ぐらいの大きさにしたり、形態を円形にしてもよい。それにより、高級感のある様々なデザインや用途の携帯機を提供することができる。
・上記実施形態では、携帯機１の操作ボタンによる操作内容を、ドアの施錠・解錠、トランクの解錠とした。しかし、これに限らず、その操作ボタンによる操作内容に限定はない。例えば、車両であればエンジンの始動や停止の操作、建造物であれば内部の照明の点灯・消灯の操作が行えてもよい。また、携帯機１に備える操作ボタンの数に制限はない。
・上記実施形態では、金属調加飾層３３はインジウム蒸着により作成した。しかし、これに限らず、蒸着にて通信性能の低下を抑制し、かつ、高輝度金属調加飾ができる部材であればよく、例えばすず（錫）を用いてもよい。そうすれば、製造工程にあわせて自由に部材を選択できる。また、金属光沢は、金属部材によって異なるので、携帯機１のデザイン上の自由度を高めることができる。
・上記実施形態では、高輝度金属調加飾をした加飾フィルム２２の一側面の全体に金属調加飾層３３を設けた。しかし、これに限らず、加飾フィルム２２の一部に金属調加飾層３３を設けてもよい。そうすれば、デザイン上の自由度を高めることができる。
・上記実施形態では、操作ボタン５，６，７、には金属調加飾層３３を設けなかった。しかし、これに限らず、同様の金属調加飾層を操作ボタン５，６，７に設けて金属調加飾を施してもよい。そうすれば、操作ボタンのデザイン性を高めることができる。
・上記実施形態では、加飾フィルム２２は黒塗りの不透明層３４を備えた。しかし、これに限らず、不透明層３４は他の色、例えば白色でもよい。そうすれば、不透明層３４の色によって金属調加飾の反射光に色彩の変化を与えることができ、デザイン性を高めることができる。
・上記実施形態では、加飾フィルム２２は所定の絵、模様、文字等のデザインを表す印刷層３２を備えた。しかし、これに限らず、印刷層３２はなくても構わない。そうすれば、デザインに好適な実施方法を選択できる。
・上記実施形態では、加飾フィルム２２は金属調加飾層３３の金属光沢の見栄えが金属調加飾層３３の裏面にあるものによって左右されることを防止するため不透明層３４を備えた。しかし、これに限らず、不透明層３４はなくてもよい。また、ベース２１によってその機能を代替してもよい。そうすれば、実施に好適な方法を選択できる。
【図面の簡単な説明】
【００４２】
【図１】実施形態における携帯機をあらわす斜視図。
【図２】図１のＡ−Ａ線に沿った下部ケースの断面図と上部ケースの断面図。
【図３】ケースと加飾フィルムの断面図。
【図４】（ａ）〜（ｄ）は図３の加飾フィルムの製造方法を示す説明図。
【図５】（ａ）〜（ｅ）はフィルムインモールド成形による下部ケースの製造方法を示す説明図。
【符号の説明】
【００４３】
１…携帯機、２…ケース、３…下部カバー、４…上部カバー、５，６，７…操作ボタン、９…鍵、２１…ベース、２２…加飾フィルム、２２ａ…表面、２２ｂ…裏面、３１…透明保護フィルム、３２…印刷層、３３…金属調加飾層、３４…不透明層、５１…下押型、５２…上押型、５３…下型、５４…上型、５５…合成樹脂注入口、５６…キャビティ。
【図１】
2007285093.tif 000003
【図２】
2007285093.tif 000004
【図３】
2007285093.tif 000005
【図４】
2007285093.tif 000006
【図５】
2007285093.tif 000007